(57)【要約】【課題】青果物が山盛りに収納されても蓋片を簡単な作業で、確実に閉鎖されるようにした段ボールケースを提供する。【解決手段】この段ボールケース２００は、一枚の段ボール１００から箱状に折り上げられるもので、側壁２１、２３に折り目Ａを介して連設された側蓋片１１、１３と、端壁２２、２４に折り目Ａを介して連設された端蓋片１２、１４に、上方へ盛り上がっても閉鎖できるように、それぞれ折り目Ａの両端から中央部に向けて斜め４５度の折り目Ｇおよび折り目Ｈを設けている。そして、側蓋片１１，１３に楕円形頭で折り目Ｋより折り曲げ可能な差込片７を設けるとともに、端蓋片１２，１４の折り目Ｈより内側に差込片７が挿入される切抜穴６Ａを折り目Ｌから切り起こして中側へ折り曲げて形成している。なお、折り目Ｌの長さは折り目Ｋの長さより内側へ大きくしている。【選択図】図１
2015131651.tif 000002
【特許請求の範囲】
【請求項１】
側壁と端壁に折り目Ａを介して連設された左右対称な一対の側蓋片と端蓋片とを、互いに係合させて閉鎖するようにした一枚の段ボールから箱状に折り上げられる段ボールケースにおいて、収納物が上方へ盛り上がった状態でも収納できるように、該側蓋片および端蓋片に、それぞれ該折り目Ａの両端から中央部に向けて斜めの折り目Ｇおよび折り目Ｈを設けたことを特徴とする段ボールケース。
【請求項２】
収納物が上方へ盛り上がっても前記側蓋片と端蓋片とが係合できるように、側蓋片の折り目Ｇより外側に差込片を設けるとともに、端蓋片の折り目Ｈより内側に該差込片より大きな切抜穴を設けたことを特徴とする請求項１記載の段ボールケース。
【請求項３】
前記切抜穴は折り目Ｌから切り起こして中側へ折り曲げて形成し、前記差込片は、楕円形頭のキノコ状で折り目Ｋより中側へ折り曲げ可能とし、該折り目Ｌの長さは、折り目Ｋの長さより内側へ大きくしたことを特徴とする請求項１または請求項２に記載の段ボールケース。
【請求項４】
前記側蓋片および端蓋片の斜めの折り目Ｇおよび折り目Ｈは、前記折り目Ａから４５度であることを特徴とする請求項１記載の段ボールケース。
【発明の詳細な説明】
【技術分野】
【０００１】
本発明は、収納した野菜の山盛りの形に倣って蓋片を閉鎖できるようにした段ボールケースに関するものである。
【背景技術】
【０００２】
野菜など青果物を収納するために、一枚の段ボールから箱状に折り上げられる段ボールケースでは、多少容積が増えて上へ盛り上がっても蓋を閉鎖できるようにしたものが使用されている。
出願人は、先に蓋部を外方へ拡がるように形成し、青果物の容量に応じて蓋部を２〜３段階に係止できるようにした（特許文献１）ものや、段階的ではなく容量が変動しても蓋部を係止できるようにした（特許文献２）ものを開発している。
【０００３】
特許文献１の段ボールケースは、図７に示すように、端蓋片４４を折り目Ｐを介して主蓋片４４ａと從蓋片４４ｂに分割し、これに、係止溝４５ａ、４５ｂを有する係止片４５を折り目Ｑを介して連設している。そして、側壁には、折り目Ｒを介して覆い４６を備えるとともに、この上部に該係止溝４５ａまたは４５ｂが係止する角部４７を備えている。  このように、構成しているので、個々に大きさの異なる青果物を詰め込んで盛り上がっても、蓋を段ボールケースの外側へ拡開させて２段階に閉鎖できる。
【０００４】
特許文献２の段ボールケースは、図８に示すように、側蓋片５１、５３の中央部に長手方向の折れ目Ｓを設けるとともに両端部に顎部７３を有する係合片７０を設けている。そして、端蓋片５２、５４には、折り目Ｓと直角方向の折り目Ｔを設けるとともに該係合片７０を上から挿入して顎部７３が係合する案内部６２を有する切抜孔５２Ａを２個備えている。このように構成しているので、収納する容量がまちまちでも上端の形状にならって蓋が簡単に閉じられ、顎部７３が切抜穴５２Ａの案内部６２に係止して閉鎖される。
【先行技術文献】
【特許文献】
【０００５】
【特許文献１】特許４７１８７９４号公報
【特許文献２】特開２０１３−１１６７６８号公報
【発明の開示】
【発明が解決しようとする課題】
【０００６】
特許文献１の段ボールケースは、青果物が上に盛り上がっても蓋を２〜３段階に係止できるので、大きさがまちまちで容積が変動する野菜の収納に好適である。また、蓋の係止も蓋片の一箇所で行うだけなので、作業が簡便である。
しかしながら、この段ボールケースは、蓋を段階的にしか閉じられないので、蓋が青果物の山盛りの形状に倣って閉鎖されずに、係止が不完全になったり、また、野菜を詰め込む量が多いと、蓋片同士の係止が十分でなく、蓋を閉じることができないという場合も生ずるという問題があった。
【０００７】
また、特許文献２の段ボールケースは、蓋片に折り目Ｓ、Ｔを設けているので、蓋片が青果物の収納状態によって形成された山盛りの形状に倣って膨らみ、しかも、確実に閉鎖できる。しかしながら、この閉鎖作業は、係合片７０を切抜孔５２Ａへ押込み、顎部７３を切抜穴５２Ａの案内部６２に係止させているので、閉鎖作業は手前（閉鎖部の近く）でないと行えない。しかも、係合片７０が４個あるので、１個閉鎖するごとに青果物を収納した段ボールケースを回動させるか、作業者が閉鎖部へ移動しながら順次閉鎖作業を行うこととなり、閉鎖作業に手間取るという欠点がある。
【０００８】
そこで、本発明は、青果物が山盛りに収納されても蓋片を簡単な作業で、確実に閉鎖されるようにした段ボールケースを提供することを目的としている。
【課題を解決するための手段】
【０００９】
上記の目的を達成するため、本発明の段ボールケースは、次のように構成した。
すなわち、側壁と端壁に折り目Ａを介して連設された左右対称な一対の側蓋片と端蓋片とを、互いに係合させて閉鎖するようにした一枚の段ボールから箱状に折り上げられる段ボールケースにおいて、収納物が上方へ盛り上がった状態でも収納できるように、該側蓋片および端蓋片に、それぞれ該折り目Ａの両端から中央部に向けて斜めの折り目Ｇおよび折り目Ｈを設けたことを特徴としている。
【００１０】
この段ボールケースは、青果物が収納容積より多くても、上端部を山盛り状態にして、折り目Ｇと折り目Ｈの両方を設けることで収納可能にしたものである。
斜めの折り目Ｇおよび折り目Ｈは、折り目Ａから適宜な角度とすればよいが、請求項４に記載のように、いずれも、折り目Ａから４５度とするのが望ましい。
【００１１】
蓋片の閉鎖手段は、特に限定しないが、側蓋片に差込片を設けるとともに、端蓋片に該差込片を挿入して係止するのが一般的である。この場合、請求項２に記載のように、側蓋片の折り目Ｇより外側に差込片を設けるとともに、端蓋片の折り目Ｈより内側に該差込片より大きな切抜穴を設けるとよい。
この、差込片と切抜穴の具体的な形状は、請求項３に記載のように、切抜穴は折り目Ｌから切り起こして中側へ折り曲げて形成し、該差込片は、楕円形頭のキノコ状で折り目Ｋより中側へ折り曲げ可能とし、該折り目Ｌの長さは、折り目Ｋの長さより内側へ大きく形成するのが望ましい。
【発明の効果】
【００１２】
本発明の段ボールケースは、側蓋片および端蓋片に、それぞれ折り目Ａの両端から中央部に向けて斜めの折り目Ｇおよび折り目Ｈを設けたので、青果物の収納量が多い場合でも、上端部を山盛り状態にして、端蓋片および側蓋片を閉じることにより、折り目Ｇと折り目Ｈの両方によって上端部の山盛り状態に倣って、簡便に蓋を閉じることができる。折り目Ｇおよび折り目Ｈは、請求項４に記載のように、折り目Ａから４５度とすれば、青果物の収納量を多くでき、山状の安定した形に形成できる。
【００１３】
また、蓋片の閉鎖手段は、請求項２に記載のように、側蓋片の折り目Ｇより外側に差込片を設けるとともに、端蓋片の折り目Ｈより内側に該差込片より大きな切抜穴を設けると、端蓋片を閉じ、側蓋片を閉じながら、差込片を切抜穴へ差し込む簡単な作業だけで、閉鎖できるので、手前で行う必要がなく、閉鎖作業を短時間で行うことができる。
【図面の簡単な説明】
【００１４】
【図１】本発明の段ボールケースの実施の形態を示す全体斜視図で、蓋部を閉じる前の状態を示す。
【図２】同上、段ボールケース２００の展開図で、段ボール１００である。
【図３】同上、蓋部の係止部を拡大した平面図で（ａ）は差込片７（ｂ）は、切抜穴６Ａである。
【図４】同上、差込片７の切抜穴６Ａへの係合状態を示すもので、（ａ）は、収納物が小容量である場合の差込片の係合状態、（ｂ）は、中容量である場合の状態、（ｃ）は、大容量である場合の状態を示すものである。
【図５】同上、収納物が中容量である場合の蓋部の状態を示す一部斜視図である。
【図６】同上、収納物が大容量である場合の蓋部の状態を示す一部斜視図である。
【図７】従来の段ボールケースを示す斜視図である。
【図８】従来の別の段ボールケースを示す斜視図である。
【発明を実施するための最良の形態】
【００１５】
本発明の段ボールケースの実施の形態を、図１〜図５を参照しながら説明する。
図１は、本実施例の段ボールケース２００の全体を示す斜視図で、大きさは、ここでは、３５ｃｍ×５５ｃｍ、高さ１５ｃｍとしている。図２は、段ボールケース２００の展開図である段ボール１００で、大きさは、ここでは、４５ｃｍ×１８０ｃｍである。
図３は、蓋部の係止部を拡大した平面図で、図４は、収納物の量によって係止部の状態を示したものである。図５は、収納物が中容量である場合の蓋部を閉じた状態を示す斜視図で、図６は、収納物が大容量である場合を示している。
【００１６】
段ボール１００は、図２に示すように、ほぼ矩形状であり、左右方向に、平行な折り目Ａと折り目Ｂを備え、蓋部１０と周壁部２０と底部３０に三分割されている。
そして、一段目の蓋部１０は切れ目を介して側蓋片１１、端蓋片１２、側蓋片１３、端蓋片１４に分割されている。側蓋片１１と側蓋片１３、端蓋片１２と端蓋片１４はそれぞれ同じ形状である。
【００１７】
側蓋片１１、１３には、それぞれ両端から折り目Ａに対して４５度の折り目Ｇが設けられ、中央部の蓋面片１１１、１３１と三角状の蓋面片１１２、１３２に分割されている。この蓋面片１１２，１３２は、中央部の蓋面片１１１、１３１より高さが低く形成されており、上端に差込片７、７が左右対称に突設されている。そして、図３（ａ）に示すように、差込片７には、頭部７ａと、切れ目ｄ，ｅとで顎部７ｂが形成され、折り目ｋにより折り曲げ可能である。
【００１８】
また、端蓋片１２、１４には、それぞれ両端から折り目Ａに対して４５度の折り目Ｈが設けられ、折り目Ｈによって中央部の蓋面片１２１、１４１と三角状の蓋面片１２２、１４２に区画されている。そして、蓋面片１２１、１４１には、切抜穴６Ａが２個左右勝手に設けられている。この切抜穴６Ａは、図３（ｂ）に示すように、縦に折り目Ｌと折り目Ｍが平行に設けられ、この間を切れ目ａ、ｂ、ｃで矩形状の舌片５と縦楕円状の押え片６が形成されている。押え片６と舌片５を切り起こすと切抜穴６Ａが形成される。なお、この折り目Ｌの長さ（ここでは４２ｍｍとしている）は、差込片７の折り目Ｋ（ここでは、３５ｍｍとしている）の長さより長く（７ｍｍ）形成されている。
【００１９】
二段目の周壁部２０は、折り目Ａから折り目Ｂまで直角方向に右端から折り目Ｃ、Ｄ、Ｅ、Ｆを夫々平行に備え、糊代片２５、側壁２１、端壁２２、側壁２３、端壁２４に分割されている。ここで、側壁２１と側壁２３は糊代片２５を除いて同じ形状であり、端壁２２と端壁２４も同じ形状である。
また、三段目の底部３０は、切れ目を介して側底片３１、端底片３２、側底片３３、端底片３４に分割されている。端底片３２、３４に夫々折り目Ｊ、Ｊが設けられ、上下に区画されている。そして、側底片３１、３３には左右に夫々ほぼ三角形状の舌片（符号は省略）が設けられている。ここで、端底片３２と端底片３４、側底片３１と側底片３３はそれぞれ同じ形状である。
【００２０】
次に、上記のように構成された段ボール１００（図２）を段ボールケース２００（図１）へ折り上げる手順について説明する。
【００２１】
先ず、中段の周壁部２０から折り上げる。これは、折り目Ｄ、Ｅ、Ｆの位置から、四角に囲うように折り曲げ、側壁２１、端壁２２、側壁２３、端壁２４を形成し、左端の糊代片２５を端壁２４の内側先端部に糊付けする。
次に底部３０を折り上げる。これは、側底片３１、端底片３２、側底片３３、端底片３４を相互に差込み合いながら底面を閉じ、係止して底抜けしないように保持する。
【００２２】
次に、蓋部１０を閉じる手順を説明する。
先ず、端蓋片１２、１４の４５度の折り目Ｈと、舌片５および押え片６の折り目Ｌ、Ｍを折って折りグセを付け、同様に、側蓋片１１、１３の４５度の折り目Ｇと差込片７の折り目Ｋを折って折りグセを付ける。
そして、端蓋片１２と端蓋片１４を折り目Ａの部位から中央に向けて折り曲げ、次いで、この直角方向から側蓋片１１を折り目Ａの部位から中央に向けて折り曲げる。続いて、折り目Ｇの部位から先端の蓋面片１１２を端蓋片１４に被せ、差込片７を端蓋片１４の切抜穴６Ａへ押し込む。この場合、差込片７の頭部７ａを押え片６に重ねるようにして押し込むと、押え片６は内部へ折れ曲がり、差込片７が押え片６の下側へ入り込み、係止される。
【００２３】
続いて、側蓋片１３を折り目Ａの部位から中央に向けて折り曲げ折り目Ｇの部位から先端の蓋面片１３２を端蓋片１４に被せ、差込片７を端蓋片１４の切抜穴６Ａへ押し込む。  この作業を、端蓋片１２の側についても行うことにより、蓋面片１１１、１３１が閉鎖される。
このように、蓋部１０の閉鎖作業は、切抜穴６Ａへこれより小さめの差込片７をほぼ、真っ直ぐに挿入するだけであるので、４個の差込片７を順次切抜穴６Ａへ挿入するのに、作業者は、一箇所に居て作業ができ、迅速に閉鎖できる。
【００２４】
次に、段ボールケース２００へ青果物を収納する容量の大小によって、蓋部１０の閉鎖状態が変化する様子を、図４（ａ）〜（ｃ）を参照しながら説明する。
段ボールケース２００へ収納する容量が少ない場合は、図４（ａ）に示すように、側蓋片１１、１３と端蓋片１２、１４の重なりが大きく、蓋部１０はほぼ平らな状態となる。  すなわち、収納量が少ない場合は、青果物による上方への盛り上がりがなく、側蓋片１１、１３の折れ目Ｇおよび端蓋片１２、１４の折れ目Ｈの折れ具合が小さく、折れ目Ｇと折れ目Ｈが、ほぼ、重なった状態となり、差込片７は、切抜穴６Ａに深く潜り込む。
このとき、差込片７の根元（折り目Ｋ）は切抜穴６Ａの折り目Ｌの外側（端壁２２、２４）寄りに位置する。そして、側蓋片１１と側蓋片１３はほぼ平坦な状態に閉鎖される。
【００２５】
また、収納する容量が中程度である場合は、図４（ｂ）に示すように、端蓋片１４および側蓋片１３が上に盛り上がって折り目Ｈと折り目Ｇが山形に折れ、差込片７は、切抜穴６Ａに潜り、その度合は前述の容量が最小の場合より浅くなる。そして、折り目Ｋは、折り目Ｌのほぼ中央部に位置する。全体的に見ると、図５に示す状態となり、側蓋片１１と側蓋片１３の間隔Ｗはかなり開いた状態となる。
【００２６】
さらに、収納する容量が多くなり最大程度である場合は、図４（ｃ）に示すように、端蓋片１４および側蓋片１３が上に高く盛り上がって折り目Ｈと折り目Ｇが山形に折れ、差込片７は、切抜穴６Ａの最も内寄りに位置する。全体的に見ると、図６に示す状態となり、側蓋片１１と側蓋片１３の間隔Ｗは大きく開いた状態となる。
【００２７】
なお、上記の実施の形態においては、発明の内容をより理解しやすくするために、段ボールケースの各部の寸法を示して説明したが、これに限定するものでないことは当然である。
【符号の説明】
【００２８】
Ａ、Ｂ、Ｃ  折り目
Ｄ、Ｅ、Ｆ  折り目
Ｇ、Ｈ、Ｊ  折り目
Ｋ、Ｌ、Ｍ  折り目
Ｐ、Ｑ、Ｒ  折り目
Ｓ、Ｔ  折り目
ａ、ｂ、ｃ  切れ目
ｄ、ｅ  切れ目
１００  段ボール
２００  段ボールケース
５  舌片
６Ａ  切抜穴
６Ｂ  係止部
６  押え片
７  差込片
７ａ  頭部
７ｂ  顎部
１０  蓋部
１１、１３  側蓋片
１２、１４  端蓋片
１１１、１１２  蓋面片
１２１、１２２  蓋面片
１３１、１３２  蓋面片
１４１、１４２  蓋面片
２０  周壁部
２１、２３  側壁
２２、２４  端壁
２５  糊代片
３０  底部
３１、３３  側底片
３２、３４  端底片
４１、４３  側蓋片
４２、４４  端蓋片
４４ａ  主蓋片
４４ｂ  從蓋片
４５  係止片
４５ａ  係止溝
４５ｂ  係止溝
４６  覆い
４７  角部
５１、５３  側蓋片
５２、５４  端蓋片
５２Ａ  切抜孔
６２  案内部
７０  係合片
７３  顎部
【図１】
2015131651.tif 000003
【図２】
2015131651.tif 000004
【図３】
2015131651.tif 000005
【図４】
2015131651.tif 000006
【図５】
2015131651.tif 000007
【図６】
2015131651.tif 000008
【図７】
2015131651.tif 000009
【図８】
2015131651.tif 000010